(57)【要約】【課題】本発明は、真空断熱材の金属箔の一部を安価なアルミニウム箔としても、断熱性能があまり劣化しない断熱箱体を提供することを目的とする。【解決手段】内箱（９）と金属製外箱（８）の内部に発泡断熱材（１１）を充填して製造される断熱箱体（７）において、一方の面がステンレススチール箔（３ａ）を用いたラミネートフィルム（３）で覆われ他方の面がアルミニウム箔（４ａ）を用いたラミネートフィルム（４）で覆われた真空断熱材（１）を、この真空断熱材（１）の前記他方の面を前記外箱（８）の内面に貼り付けるように配置したことを特徴とする断熱箱体。【選択図】        図３
2004257684.tif 000002
【特許請求の範囲】
【請求項１】
内箱（９）と金属製外箱（８）の内部に発泡断熱材（１１）を充填して製造される断熱箱体（７）において、
一方の面がステンレススチール箔（３ａ）を用いたラミネートフィルム（３）で覆われ他方の面がアルミニウム箔（４ａ）を用いたラミネートフィルム（４）で覆われた真空断熱材（１）を、この真空断熱材（１）の前記他方の面を前記外箱（８）の内面に貼り付けるように配置したことを特徴とする断熱箱体。
【請求項２】
前記真空断熱材の周辺に位置する前記ラミネートフィルムの熱溶着部（５）を前記一方の面側に折り曲げ配置したことを特徴とする請求項１に記載の断熱箱体。
【請求項３】
内箱（９）と金属製外箱（８）の内部に発泡断熱材（１１）を充填して製造される断熱箱体（７）において、
一方の面が第１のラミネートフィルム（３）で覆われ他方の面が第１のラミネートフィルム（３）より熱伝導率の大きな第２のラミネートフィルム（４）で覆われた真空断熱材（１）を、この真空断熱材（１）の前記他方の面を前記外箱（８）の内面に貼り付けるように配置したことを特徴とする断熱箱体。
【請求項４】
前記真空断熱材の周辺に位置する前記ラミネートフィルムの熱溶着部（５）を前記一方の面側に折り曲げ配置したことを特徴とする請求項３に記載の断熱箱体。
【請求項５】
一方の面がステンレススチール箔を用いたラミネートフィルムで覆われ他方の面がアルミニウム箔を用いたラミネートフィルムで覆われた真空断熱材において、この真空断熱材の前記一方の面と他方の面を識別するための識別手段（６）を設けたことを特徴とする真空断熱材。
【請求項６】
前記識別手段は、前記一方の面に施されていることを特徴とする請求項５に記載の真空断熱材。
【発明の詳細な説明】
【０００１】
【発明の属する技術分野】
本発明は、外箱と内箱間の空間に断熱材を設けて成る断熱箱体に関するものである。たとえば、冷凍冷蔵庫に用いられる断熱箱体に関する。また、断熱箱体の内部に配置される真空断熱材に関する。
【０００２】
【従来の技術】
従来より、冷蔵庫や低温ショーケース等を構成する断熱箱体は、外箱と内箱との間の空間に注入口より断熱材の原液を注入し、発泡充填することにより形成されている。
【０００３】
そして、この断熱箱体の断熱性能を高めるために、この断熱箱体の内部に偏平状（平板状）の真空断熱材を配置することが従来から提案実施されている（例えば特許文献１参照）。
【０００４】
この真空断熱材は、一般に、ガスバリヤー性を保持させた金属−プラスチックラミネートフィルムから成る外包容器を作成し、この内部にコア材を配置するものである。
【０００５】
このような真空断熱材の外包容器としては、アルミニウム箔と熱溶着性プラスチックのラミネートフィルムが一般的である。
【０００６】
２枚のラミネートフィルムの周囲部を接合することにより袋状の容器を形成し、この中に無機粉末やグラスファイバ等のコア材を入れて収容した状態で、外包容器内の空気を開口部から真空引きにより排出し、その後、この開口部を熱接合することによって密封される。
【０００７】
また、外包容器中には、気体を吸着するゲッター剤が配されている。
【０００８】
ところで、アルミニウムは熱伝導率が大きく、このため真空断熱材の周囲のラミネートフィルムを伝って熱が回り込む（所謂ヒートブリッジ）ことが発生してしまう。
【０００９】
このため、ラミネートフィルムのアルミニウム箔の代わりにステンレススチール箔を採用することが知られている。ステンレススチール箔のラミネートフィルムは、アルミニウムに比較して非常に高価であるが、熱伝導率及び微細孔に関しては性能が良く、断熱特性が向上する。
【００１０】
前述したように、ステンレススチール箔はアルミニウム箔に比較して非常に高価であるため、金属箔の一部を安価なアルミニウム箔とすることが、提案されている（例えば特許文献２、３参照）。
【００１１】
【特許文献１】
実開平４−７０９９５号公報
【特許文献２】
特開平８−１０５６８７号公報
【特許文献３】
特開平７−９８０９１号公報
【００１２】
【発明が解決しようとする課題】
本発明は、真空断熱材の金属箔の一部を安価なアルミニウム箔としても、断熱性能があまり劣化しない断熱箱体を提供することを目的とする。
【００１３】
また、本発明は、このような真空断熱材の使い勝手を良くすることを目的とする。
【００１４】
【課題を解決するための手段】
本発明は、内箱と金属製外箱の内部に発泡断熱材を充填して製造される断熱箱体において、一方の面がステンレススチール箔を用いたラミネートフィルムで覆われ他方の面がアルミニウム箔を用いたラミネートフィルムで覆われた真空断熱材を、この真空断熱材の前記他方の面を前記外箱の内面に貼り付けるように配置したことを特徴とする。
【００１５】
更に本発明は、前記真空断熱材の周辺に位置する前記ラミネートフィルムの熱溶着部を前記一方の面側に折り曲げ配置したことを特徴とする。
【００１６】
本発明は、内箱と金属製外箱の内部に発泡断熱材を充填して製造される断熱箱体において、一方の面が第１のラミネートフィルムで覆われ他方の面が第１のラミネートフィルムより熱伝導率の大きな第２のラミネートフィルムで覆われた真空断熱材を、この真空断熱材の前記他方の面を前記外箱の内面に貼り付けるように配置したことを特徴とする。
【００１７】
更に本発明は、  前記真空断熱材の周辺に位置する前記ラミネートフィルムの熱溶着部を前記一方の面側に折り曲げ配置したことを特徴とする。
【００１８】
本発明は、一方の面がステンレススチール箔を用いたラミネートフィルムで覆われ他方の面がアルミニウム箔を用いたラミネートフィルムで覆われた真空断熱材において、この真空断熱材の前記一方の面と他方の面を識別するための識別手段を設けたことを特徴とする。
【００１９】
更に本発明は、前記識別手段は、前記一方の面に施されていることを特徴とする。
【００２０】
【発明の実施の形態】
以下、図面を参照しながら本発明の実施形態を説明する。図１は、平板状の真空断熱材１の断面図を示している。図２は真空断熱材の図である。図３は断熱箱体の断面図である。
【００２１】
図１において、２はコア材であり、グラスウール等の無機物質を所定厚みの板状にしたものである。３は、ステンレススチール箔３ａを用いた第１のラミネートフィルムである。４は、アルミニウム箔４ａを用いた第２のラミネートフィルムである。５は、このラミネートフィルムのヒートシール部である。
【００２２】
図２は、真空断熱材１である。この真空断熱材１には、ステンレススチール箔を用いた第１のラミネートフィルム３側の面に油性ペンにより、丸印６が描かれている。この丸印６により作業者は、真空断熱材の裏表（取付面）が一目で判る。
【００２３】
図３において、断熱箱体７は家庭用の冷凍冷蔵庫を構成するものである。この断熱箱体７は、鋼板製の外箱８と、この外箱２内に間隔を存して組み込まれたＡＢＳ樹脂等の硬質合成樹脂製の内箱９と、両箱８、９間に設けられた断熱層１０とから構成されている。
【００２４】
そして、この断熱層１０は、真空断熱材１と発泡断熱材１１との二層構造となっている。
【００２５】
真空断熱材１は、前記発泡断熱１１が充填される以前に、外箱８の内面に両面テープ等にて予め取り付けて置く。
【００２６】
発泡断熱材１１は、ポリエーテルポリオールとポリイソシアネートを主成分としており、発泡剤としてはシクロペンタンを用いている。
【００２７】
発泡断熱材１１を充填する際には、外箱８の内面側に真空断熱材１のアルミニウム箔側を取り付け、内箱９を組み込んだものを発泡型（図示せず）にセットする。
【００２８】
そして、前記ポリエーテルポリオールをシクロペンタンの発泡剤により希釈してレジンとし、このレジン及び前記ポリイソシアネートの液を所定の割合で混合した原液を高圧発泡機により注入口から外箱８及び内箱９間の空間に吐出する。
【００２９】
注入された原液中のポリエーテルポリオールとポリイソシアネートは反応を開始してポリウレタンを生成すると共に、この反応熱によりシクロペンタンがガス化してフォームに封じ込められる。
【００３０】
一方、ポリウレタンフォームが膨張して内外箱９、８間の空間内に充満し、真空断熱材１と外箱８の内面、及び、内箱９に接着固化することにより、硬質ポリウレタンフォームの発泡断熱材１１が形成される。
【００３１】
内箱９の形状は、一般に通常複雑であり、外箱８の内面は内箱９に比して平坦であり、実施例の如く真空断熱材１を外箱８に取り付け、真空断熱材１と内箱９との間に発泡断熱材１１を充填すれば、真空断熱材１の取り付け作業が容易となる。
【００３２】
なお、真空断熱材１の周辺に位置する前記ラミネートフィルム３、４のヒートシール部５（熱溶着部５）は、ステンレススチール箔を用いたラミネートフィルム３側に折り曲げ配置し、断熱性能を向上させている。
【００３３】
このように、本実施形態では、熱伝導率の良いアルミニウム箔側を金属製外箱８側に貼り付けている。つまり、真空断熱材１の外箱に貼り付けられる側は、この外箱が金属製であるために、熱伝導率の小さなラミネートフィルムを用いても、その効果があまり期待できなかった。本実施形態では、そちら側に熱伝導率の高い（断熱性能の悪い）アルミニウム箔を用いたラミネートフィルムを用いることにより、真空断熱材のコストを下げると共に、それによる断熱性能の劣化を抑制することが可能となった。
【００３４】
【発明の効果】
以上の如く、請求項１、３によれば、安価で且つ断熱性能の劣化があまりない断熱箱体を提供することができる。
【００３５】
請求項２、４によれば、更に断熱性能を向上させることができる。
【００３６】
また、請求項５、６によれば、取り扱い時に真空断熱材の面を間違えることがない。
【図面の簡単な説明】
【図１】本発明の実施形態である真空断熱材の断面図である。
【図２】本発明の実施形態である真空断熱材の斜視図である。
【図３】本発明の実施形態である断熱箱体の断面図である。
【符号の説明】
【符号の説明】
１    真空断熱材（平板状の真空断熱材）、
３    ラミネートフィルム、
３ａ  ステンレススチール箔、
４    ラミネートフィルム、
４ａ  アルミニウム箔、
５    ヒートシール部（熱溶着部）、
６    油性ペンで描いた丸印（識別手段）、
７      断熱箱体、
８      外箱（金属製外箱）、
９      内箱、
１１    発泡断熱材。
【図１】
2004257684.tif 000003
【図２】
2004257684.tif 000004
【図３】
2004257684.tif 000005